(57)【要約】      （修正有）【課題】雑草の引抜き力を高め、土を掻き出しでき、土に触れずに雑草を容易に引抜きできる簡易な指サック状の親指用並びに人差し指および中指用の雑草引抜具の組合せを提供する。【解決手段】親指５ｄを挿入する雑草引抜具１ａと、人差し指５ｅおよび中指５ｆを挿入する一体化された指サック状の雑草引抜具１ｂで、これらの雑草引抜具の長さは指先から第２関節６ａの手前までとし、第２関節部６ａの手前の筒状部の後端から前方に指穴を有し、指を挿入する筒状部の先端に突状爪を有し、人差し指５ｅおよび中指５ｆを挿入する雑草引抜具１ｂの隣り合う突状爪および筒状部の間に中実硬質の掻き板を配し、筒状部の指穴の後端の親指５ｄの指背側５ｊあるいは人差し指５ｅおよび中指５ｆの指腹部５ｉに丸く凹んだ凹状部を設け、硬化したプラスチック成形体からなる雑草引抜具の組合せ。【選択図】図４
0003154303.tif 000002
【実用新案登録請求の範囲】
【請求項１】
親指（４ｄ）を挿入する指サック状の雑草引抜具（１ａ）と、人差し指（５ｅ）および中指（５ｆ）を挿入する隣どうしの連なった指サック状の雑草引抜具（１ｂ）であり、これらの指（５）を挿入する雑草引抜具（１）の筒状部（２）の長さは指先（５ａ）から２番目の関節である第２関節部（６ａ）の手前までからなり、第２関節部（６ａ）の手前の筒状部（２）の後端（２ｄ）から前方に指穴（２ｆ）を有し、指（５）を挿入する筒状部（２）の指先（５ａ）の筒状部（２）の閉じられた先端部（２ａ）を中実硬質の突状爪（３）に形成し、人差し指（５ｅ）および中指（５ｆ）を挿入する雑草引抜具（１ｂ）にあっては人差し指（５ｅ）を挿入する筒状部（２）の先端部（２ａ）の突状爪（３）および中指（５ｆ）を挿入する筒状部（２）の先端部（２ａ）の突状爪（３）を先端位置に配設し、これらの隣り合う突状爪（３）および筒状部（２）の間に中実硬質の掻き板（４）を形成し、親指（５ｄ）の背部外面（２ｃ）および人差し指（５ｅ）および中指（５ｆ）の腹部内面（２ｂ）への当たりを柔軟とするため、筒状部（２）の指穴（２ｆ）の後端（２ｄ）の親指（５ｄ）の指背側（５ｊ）あるいは人差し指（５ｅ）および中指（５ｆ）の指腹部（５ｉ）に丸く凹んだ切欠きからなる凹状部（２ｅ）を設け、さらに指（５）を挿入する指穴（２ｆ）を有する筒状部（２）の形状を物を掴む際の折り曲げ形状に模した僅かながら湾曲した形状とし、これらからなる雑草引抜具（１）をプラスチック成形体から形成したことを特徴とする指サック状の雑草引抜具（１）の組合せ。
【請求項２】
硬化したプラスチック成形体のプラスチックはがポリプロピレンであることを特徴とする請求項１に記載の指サック状の雑草引抜具１の組合せ
【考案の詳細な説明】
【技術分野】
【０００１】
この考案は、畑地、庭、広場、運動場、公園、遊園地あるいは道路脇などに生えている雑草を除去するために使用する雑草引抜具に関し、特に手で雑草を抜き取る際に手指に挿着して使用する指サック状の雑草引抜具に関する。
【背景技術】
【０００２】
従来、畑地、庭、広場、運動場、公園、遊園地あるいは道路脇などに生えている雑草を引き抜くためには、指で草の根元を掴んで引き抜くか、スコップや鍬などの用具で根ごと掘り起こして抜き取る方法しかなかった。ところで、指で草の根元を掴んで引き抜く方法では、広い面積に生えている雑草を除去するために長時間を要し、また、その際に指にかかる負担も大きく、酷しい作業であった。
【０００３】
さらに、指で雑草の根元を掴んで引き抜く際、指は雑草の根元の土壌に触れることとなる。ところで、このように指が土壌に触れると、もしその指に切り傷や引っかき傷がある場合、それらの傷口から土壌の中に存在するといわれている嫌気性の破傷風菌に感染する恐れがある。子供の頃は混合ワクチンの接種を受けているので、破傷風の感染は予防されている。しかし、破傷風のワクチンの効果は２０代までしか持続しないといわれている。もし、大人で破傷風に感染すると、致死率は１０％といわれているので、大変に危険である。したがって、中年になると、再び破傷風のワクチン接種を受けた方が良いが、この再接種を受ける必要を知らず、受けていない人が多いのが現状である。
【０００４】
ところで、従来、雑草を指で引き抜くための用具が種々考案されている（例えば、特許文献１、特許文献２、特許文献３参照。）。さらに、本考案の考案者は、雑草を引き抜く際に、雑草の土中の根を指で掻き出して根元を摘んで指に負担をかけることなく容易に引き抜くことができ、さらに引き抜く際に指を土に触れることなく引き抜くことが可能な雑草引抜具を出願して登録している（例えば、特許文献４参照。）。これは、それぞれの指に独立して挿着して使用する引抜き具で、それぞれの指の末節部および中節部を挿入する太さと長さからなる先端の閉じられたプラスチック製の筒状部を有するものである。この引抜き具は、筒状部の挿入した指の末節部と中節部の間の第１関節部の当接する箇所に、指の腹部内面側へ膨れた山状凸部を有し、かつ筒状部の閉じられた先端部を筒状部の素材であるプラスチック製の硬化した突状爪に形成して有することを特徴とする指に挿着して使用する雑草引抜具である。
【先行技術文献】
【特許文献】
【０００５】
【特許文献１】特許第３７６１０８４号公報
【特許文献２】実用新案登録第３００３２２８号公報
【特許文献３】実用新案登録第３０６９５５４号公報
【特許文献４】実用新案登録第３１５０１６４号公報
【考案の概要】
【考案が解決しようとする課題】
【０００６】
上記した、本出願人の考案による実用新案登録された雑草引き具は、手のそれぞれの指に個別に挿着して使用するものである。この雑草引き具をそれぞれの指に挿着しても、それぞれの指が独立して動かせ得るので、雑草の引き抜き作業が効率的に行える点で優れたものである。しかしながら、特に硬くなった土壌に生えている雑草を引き抜くためには、非常に強い力を指に込めて摘む必要があり、指に負担が掛かることとなる。そこで、雑草の根元を一層に力強く摘むことができ、効率よく引き抜くことのできる指に挿着できる雑草引抜具が求められている。
【０００７】
そこで、本願の考案が解決しようとする課題は、雑草引抜具において、親指を挿入する親指側用の雑草引抜具は親指のみを挿入する指サック状とし、一方、この親指側用の指サック状の雑草引抜具と組み合わせて使用するための、親指以外の人差し指、中指といった指を隣同士として適宜にまとめて一体化して挿着する人差し指側用の指サック状の雑草引抜具とすることにより、雑草の引抜き力を高め、また、それぞれの雑草引抜具の先端に硬い突状爪を設けることで、土中の雑草の根の周囲の土を掻き出し可能とし、引き抜く際に挿入した指に負担をかけることなく、しかも指を土と触れなくして、雑草を容易に引抜きできるものとした簡易な構造からなるプラスチック成形体からなる指サック状の親指用の雑草引抜具並びに人差し指および中指用の雑草引抜具の組合せを提供することである。
【課題を解決するための手段】
【０００８】
上記の課題を解決するための本考案の手段は、請求項１の考案では、親指５ｄを挿入する指サック状の雑草引抜具１ａと、人差し指５ｅおよび中指５ｆを挿入する隣どうしの連なった指サック状の雑草引抜具１ｂであり、これらの指５を挿入する雑草引抜具１の筒状部２の長さは指先５ａから２番目の関節である第２関節６ａの手前までからなり、第２関節部６ａの手前の筒状部２の後端２ｄから前方に指穴２ｆを有し、指５を挿入する筒状部２の指先５ａの筒状部２の閉じられた先端部２ａを中実硬質の突状爪３に形成し、人差し指５ｅおよび中指５ｆを挿入する雑草引抜具１ｂにあっては人差し指５ｅを挿入する筒状部２の先端部２ａの突状爪３および中指５ｆを挿入する筒状部２の先端部２ａの突状爪３を先端位置に配設し、これらの隣り合う突状爪３および筒状部２の間に中実硬質の掻き板４を形成し、親指５ｄの背部外面２ｃおよび人差し指５ｅおよび中指５ｆの腹部内面２ｂへの当たりを柔軟とするため、筒状部２の指穴２ｆの後端２ｄの親指５ｄの指背側５ｊあるいは人差し指５ｅおよび中指５ｆの指腹部５ｉに丸く凹んだ切欠きからなる凹状部２ｅを設け、さらに指５を挿入する指穴２ｆを有する筒状部２の形状を物を掴む際の折り曲げ形状に模した僅かながら湾曲した形状とし、これらからなる雑草引抜具１を硬化したプラスチック成形体から形成したことを特徴とする指サック状の雑草引抜具１の組合せである。
【０００９】
請求項２の考案では、硬化したプラスチック成形体のプラスチックはポリプロピレンであることを特徴とする請求項１の手段の指サック状の雑草引抜具１の組合せである。
【考案の効果】
【００１０】
本考案は上記の手段としたことで、親指を挿入する指サック状の雑草引抜具と、これと組み合わせて使用する人差し指および中指を挿入する指サック状の雑草引抜具の形状を、雑草を掴む際の折り曲げ形状に模して僅かに湾曲せしめたことで、これらの雑草引抜具を指に挿着して雑草を掴む際に、親指用の雑草引抜き具の先端の突状爪と、人差し指および中指用の雑草引抜具の先端の突状爪は略横一線に揃って当接し、それらの間に中実硬質の掻き板を有するので、各雑草引抜き具の突状爪および掻き板の協同により雑草の根元の摘まみ力が向上し、引き抜く際に個別の指にのみ負担をかけることもない。また、筒状部の指穴の後端の親指用の雑草引抜具の指背側と人差し指および中指用の雑草引抜具の指腹側のそれぞれの後端に丸く凹んだ切欠きからなる凹状部を設けたことで、硬化したプラスチック製の雑草引抜具でありながら、この雑草引抜具は挿着した指肌への当たりが優しく指に痛みを覚えない。さらに雑草引抜具の各筒状部の閉じられた先端部に有する突状爪により、土中の雑草の根の周囲の掻き出しが容易であり、しかも、その際に本考案の雑草引抜具で挿着した各指を完全に被っているので、それらの指が土と直接に触れることがなく、土中の細菌の侵入を阻止でき、衛生的に雑草を引き抜きできる。さらにプラスチックの素材をポリプロピレンとしたことで、軽量であり硬さも雑草譲許作用に最も適している。このように、本考案は簡易な構造でありながら優れた効果を有する指サック状の雑草引抜具からなる組合せである。
【図面の簡単な説明】
【００１１】
【図１】本考案の親指用の雑草引抜具と人差し指および中指用の雑草引抜具を右利き用で示す平面図で、（ａ）は親指用の雑草引抜具で、（ｂ）は人差し指および中指用の雑草引抜具である。
【図２】本考案の図１に示す雑草引抜具の側面図で、（ａ）は親指用の雑草引抜具で、（ｂ）は人差し指および中指用の雑草引抜具である。
【図３】本考案の図１に示す雑草引抜具の下面図で、（ａ）は親指用の雑草引抜具で、（ｂ）は人差し指および中指用の雑草引抜具である。
【図４】本考案の雑草引抜具を右手の指に挿着した側面図である。
【考案を実施するための形態】
【００１２】
本考案を実施するための形態を、図面を参照して以下に説明する。本考案の雑草引抜具１は、図１の平面図に示すように、親指用の指サック状の雑草引抜具１ａと人差し指および中指用の隣どうしの連なった指サック状の雑草引抜具１ｂの組合せからなるものである。この雑草引抜具１を、図４に示すように、手指に挿着し、畑地、庭、広場、運動場、公園、遊園地あるいは道路脇などに生えている雑草の根を摘んで土中から引き抜く。したがって、この雑草引抜具１の素材は硬化したプラスチック成形体からなるものである。雑草引抜具１の指を挿入する筒状部２の指穴２ｆの閉じられた先端部２ａの先に形成された突状爪３は、平板状で雑草の周囲の土を掻き除いて雑草の根を引き抜き易くするために、特に硬化したプラスチック成形体からなっている。この場合、このプラスチックは、成形性の容易な熱硬化性樹脂としている。この熱硬化性樹脂には、例えば、ポリエチレン、ポリプロピレン、ポリスチレン、ポリ塩化ビニル、ポリメタクリル酸メチル、ポリアミド（ナイロン）、ポリエステル、ポリカーボネート、ポリアセタール、酢酸セルローズなどが代表的なものであるが、手軽さや、強度や、硬さや、コストなどの面からから適宜に選択して使用するものとする。
【００１３】
ところで、本考案の請求項２の手段では、硬化したプラスチック成形体の素材には、特に硬さと強靱性や加工の容易性などから、熱硬化性のポリプロピレンから形成して、指サック状の雑草引抜具１としている。
【００１４】
本考案のこれらの指サック状の雑草引抜具１の形状についてさらに説明すると、図１の（ａ）に示すように、組合わせ用の一方である親指用の指サック状の雑草引抜具１ａでは、例えば女性用で、筒状部２の後端２ｄから突状爪３の先端までの長さは５７ｍｍ、筒状部２の幅は２７ｍｍ、筒状部２の長さは５０ｍｍ、筒状部２の後端部の高さは２５ｍｍ２７ｍｍである。中実の突状爪３の長さは７．０ｍｍ、突状爪３の幅は１５ｍｍ、突状爪３の厚さは４．３ｍｍである。親指用の雑草引抜具１ａの筒状部２の背部外面２ｃの後端は突状爪３側に７ｍｍだけ半円状に切り欠かれて凹状部２ｅに形成されて腹部内面２ｂの一部が見えている。親指用の雑草引抜具１ａを親指５ｄに挿着したとき、親指の指背側５ｊに凹状部２ｅを有するので、親指５ｄを第２関節部６ａで曲げても、筒状部２の背部外面２ｃの後端が指背側５ｊに当接して痛くないようにして親指５ｄを曲げ易くしている。図２の（ａ）は親指用の雑草引抜具１ａを側面から見た図で、図３は図１の底面側から見た図で、底面側は親指５ｄの第１関節部の前後の指腹の膨らみが僅かであるが形成されて、僅かに曲がっている。
【００１５】
次いで、図１の（ｂ）に示すように、組合わせ用の他方である人差し指および中指用の隣どうしの連なった指サック状の雑草引抜具１ｂでは、例えば女性用で、先ず、図１の（ｂ）に示すように、左側の人差し指用の筒状部２では、その後端２ｄから突状爪３の先端までの長さは６７ｍｍ、筒状部２の後端２ｄの幅は２３ｍｍ、筒状部２の長さは５０ｍｍ、筒状部２の後端部の高さは２２ｍｍである。中実の突状爪３の長さは１６ｍｍ、突状爪３の幅は１０ｍｍ、突状爪３の厚さは３．６ｍｍである。人差し指用の筒状部２の腹部の後端は突状爪３側に８ｍｍだけ半円状に切り欠かれて凹状部２ｅに形成されて、図３の（ｂ）に示すように、背部内面の一部が見えている。さらに、図１の（ｂ）に示すように、右側の中指用の筒状部２では、その後端２ｄから突状爪３の先端までの長さは５４ｍｍ、筒状部２の後端２ｄの幅は２７ｍｍ、筒状部２の長さは４７ｍｍ、筒状部２の後端部の高さは２０ｍｍである。中実の突状爪３の長さは６ｍｍ、突状爪３の幅は１４ｍｍ、突状爪３の厚さは３．６ｍｍである。中指用の筒状部２の腹部の後端は突状爪３側に７ｍｍだけ半円状に切り欠かれて凹状部２ｅに形成されて、図３の（ｂ）に示すように、背部内面の一部が見えている。さらに、図１の（ｂ）に示すように、左側の人差し指用の突状爪３から筒状部２と右側の中指用の突状爪３から筒状部２との間には両者を接続する掻き板４が設けられて一体化されている。この人差し指および中指用の隣どうしの連なった指サック状の雑草引抜具１ｂを人差し指５ｅと中指５ｆに挿着したとき、それぞれの指の指腹側５ｉに凹状部２ｅを有するので、人差し指５ｅおよび中指５ｆを第２関節部６ａで曲げても、筒状部２の腹部内面の後端が指腹側５ｉに当接して痛くないようにして人差し指５ｅおよび中指５ｆを曲げ易くしている。図２の（ｂ）は人差し指用および中指用の雑草引抜具１ｂを側面から見た図で、図３は図１の底面側から見た図で、底面側は人差し指５ｅおよび中指５ｆの第１関節部の前後の指腹の膨らみが僅かであるが形成されて、僅かに曲がっている。
【００１６】
以上は本考案の女性用の雑草引抜具１の形状について説明したが、男性用の雑草引抜具１の形状についても基本的な構造は同じであり、ただ各指部の大きさが異なるので男性用の雑草引抜具１の各寸法はそれぞれ数ｍｍずつ大きくなっている。また、上記では右手用の雑草引抜具として説明したが、左手用の雑草引抜具１の形状は、上記のものと左右対称からなるものとする。
【００１７】
図４は、本考案の指サック状の雑草引抜具１の組合せを右手に装着した状態を示す側面図である。この図のようにそれぞれの指サック状の雑草引抜具１は各指の第２関節部６ａの手前まで装着されるものであり、したがって、これらの指は第２関節部６ａで容易に折り曲げることが可能であるので、雑草の根の周囲の土を掻きだしたり、また雑草を摘んで抜くことが容易にできる。したがって本考案の指サック状の雑草引抜具１の組合せを指に装着することで、土を安心して触ることができ、また、人差し指用と薬指用の雑草引抜具１が一体化されており、しかも、これらの指用の突状爪３の間が掻き板４となっているので、土を掻いて雑草の根の周囲を掘るときに力が倍増され、単にバラバラの指サック状の雑草引抜具よりも強力に土を掘ることができる。
【符号の説明】
【００１８】
１  雑草引抜具
１ａ  雑草引抜具（親指用の）
１ｂ  雑草引抜具（人差し指用の）
２  筒状部
２ａ  先端部（閉じられた）
２ｂ  腹部内面
２ｃ  背部外面
２ｄ  後端
２ｅ  凹状部
２ｆ  指穴
３  突状爪
４  掻き板
５  指
５ａ  指先
５ｂ  末節部
５ｃ  中節部
５ｄ  親指
５ｅ  人差し指
５ｆ  中指
５ｇ  薬指
５ｈ  小指
５ｉ  指腹側
５ｊ  指背側
６  関節部
６ａ  第２関節部
【図１】
0003154303.tif 000003
【図２】
0003154303.tif 000004
【図３】
0003154303.tif 000005
【図４】
0003154303.tif 000006
【手続補正書】
【提出日】平成21年7月25日(2009.7.25)
【手続補正１】
【補正対象書類名】実用新案登録請求の範囲
【補正対象項目名】全文
【補正方法】変更
【補正の内容】
【実用新案登録請求の範囲】
【請求項１】
親指（５ｄ）を挿入する指サック状の雑草引抜具（１ａ）と、人差し指（５ｅ）および中指（５ｆ）を挿入する隣どうしの連なった指サック状の雑草引抜具（１ｂ）であり、これらの指（５）を挿入する雑草引抜具（１）の筒状部（２）の長さは指先（５ａ）から２番目の関節である第２関節部（６ａ）の手前までからなり、第２関節部（６ａ）の手前の筒状部（２）の後端（２ｄ）から前方に指穴（２ｆ）を有し、指（５）を挿入する筒状部（２）の指先（５ａ）の筒状部（２）の閉じられた先端部（２ａ）を中実硬質の突状爪（３）に形成し、人差し指（５ｅ）および中指（５ｆ）を挿入する雑草引抜具（１ｂ）にあっては人差し指（５ｅ）を挿入する筒状部（２）の先端部（２ａ）の突状爪（３）および中指（５ｆ）を挿入する筒状部（２）の先端部（２ａ）の突状爪（３）を先端位置に配設し、これらの隣り合う突状爪（３）および筒状部（２）の間に中実硬質の掻き板（４）を形成し、親指（５ｄ）の背部外面（２ｃ）および人差し指（５ｅ）および中指（５ｆ）の腹部内面（２ｂ）への当たりを柔軟とするため、筒状部（２）の指穴（２ｆ）の後端（２ｄ）の親指（５ｄ）の指背側（５ｊ）あるいは人差し指（５ｅ）および中指（５ｆ）の指腹部（５ｉ）に丸く凹んだ切欠きからなる凹状部（２ｅ）を設け、さらに指（５）を挿入する指穴（２ｆ）を有する筒状部（２）の形状を物を掴む際の折り曲げ形状に模した僅かながら湾曲した形状とし、これらからなる雑草引抜具（１）をプラスチック成形体から形成したことを特徴とする指サック状の雑草引抜具（１）の組合せ。
【請求項２】
硬化したプラスチック成形体のプラスチックはポリプロピレンであることを特徴とする請求項１に記載の指サック状の雑草引抜具（１）の組合せ。